(57)【要約】【課題】操作対象とする機器やスイッチなどの誤認を防止し、接点の動作に対する信頼性を確保すること。【解決手段】固定台座３０１が保持するタブレット１０１を限定し、限定されたタブレット１０１を２枚保持する固定台座３０１が第１の位置に位置付けられている場合にのみインターロックを解除することができるようにした。インターロックを解除する条件を制限し、タブレット１０１に形成された貫通孔がなすパターンと固定台座３０１が保持するタブレット１０１の枚数との２つの条件が揃った場合にのみインターロックを解除することにより、操作対象とする機器を誤認したまま当該機器を操作することを防止できる。【選択図】図７
2014138461.tif 000002
【特許請求の範囲】
【請求項１】
電気機器に対する誤認操作を防止する誤認操作防止装置であって、
２枚のタブレットをそれぞれ取り外し可能に保持し当該タブレットの着脱が可能な第１の位置と前記２枚のタブレットを操作盤内へ収容する第２の位置との間をスライド可能な台座と、
前記台座を前記第２の位置側から前記第１の位置側へ付勢する付勢機構と、
前記台座のスライド軌跡に干渉する位置に設けられ前記台座のスライドにともなって前記台座を回避する位置に揺動する可動枠と、
前記可動枠に設けられ、当該可動枠が前記台座を回避する位置に位置付けられている状態において前記第１の位置に位置付けられた前記台座が保持する前記２枚のタブレットのうちの一方のタブレットに当接し、当該一方のタブレットと当接している間、前記電気機器のインターロックを解除するインターロック解除手段と、
を備え、
前記２枚のタブレットは、それぞれ所定パターンをなす複数の貫通孔を備え、
前記台座は、前記貫通孔がなすパターンと同じパターンをなす複数の突起を備え、当該突起をタブレットに形成された複数の貫通孔に挿入することによって前記タブレットを保持することを特徴とする誤認操作防止装置。
【請求項２】
前記台座、前記付勢機構、前記可動枠を収容する筐体を備えたことを特徴とする請求項１に記載の誤認操作防止装置。
【発明の詳細な説明】
【技術分野】
【０００１】
この発明は、機器の誤認による誤った操作を防止する誤認操作防止装置に関する。
【背景技術】
【０００２】
発変電所においては、電気設備の接点を動作させる複数のスイッチが配置された配電盤が設置されている。配電盤には同様の形状をなす複数のスイッチが配置されているため、発変電所においては、作業者が操作すべきスイッチを誤認しないように、誤認防止用のタブレットを用いた運用がなされている。
【０００３】
誤認防止用のタブレットは、配電盤が設置されている場所に保管されているタブレットと、操作対象とする電気設備の配電盤に取り付けられているタブレットと、によって対をなす構成とされている。タブレットは、同一の電気設備に対応し、対をなすタブレットどうしのみ重ね合わせることができるように、電気設備ごとに異なる凹凸形状をなしている。
【０００４】
このような誤認防止用のタブレットを用いた運用にしたがってスイッチを操作する場合は、まず、配電盤が設置されている場所に保管されているタブレットを、操作対象とする電気設備が設置された場所まで持参する。そして、持参したタブレットを操作対象とする電気設備の配電盤に取り付けられているタブレットに重ね合わせる。
【０００５】
このとき、対をなすタブレットどうしであれば重なり合い、対をなすタブレットどうしではない場合は、ぴったりとは重ならず、隙間が生じたりがたついたりする。作業者は、自身が持参したタブレットが、当該作業者が操作対象として認識している電気設備のタブレットとぴったり重なることを確認することによって、当該作業者が操作すべきスイッチを認識させる。
【０００６】
関連する従来の技術として、具体的には、たとえば、電気回路を入切するスイッチ本体部と、スイッチ本体部と連動可能に設けられて特定形状のタブレットの装着のみによってスイッチ本体部の操作を許容するロック機構部と、を備えた誤操作防止スイッチにより、電気制御を用いることなく簡易な構成で確実にスイッチの誤操作を未然に防止するようにした技術があった（たとえば、下記特許文献１を参照。）。
【０００７】
また、具体的には、従来、たとえば、複数の固定ピンを備える取付台座に、基盤を貫通して長さ方向に進退する複数本の可動ピンを設けるとともに、固定ピンが貫通する掛止孔を設けた複数枚の操作札における一方の操作札に或る可動ピンが貫通するスルーホールを設け、他方の操作札に別の可動ピンが貫通するスルーホールを設けた技術があった（たとえば、下記特許文献２を参照。）。
【０００８】
また、具体的には、従来、たとえば、複数の固定ピンを基盤に突設した取付台座に、固定ピンが貫通する掛止孔を設けた複数枚の札状の操作札を重ね合わせる機器誤認操作防止用タブレットにおいて、一方の操作札の一端側に、磁力によって開閉する接点に磁力を作用させる磁石を設け、他方の操作札の他端側に、磁力によって開閉する接点に磁力を作用させる磁石を設けた技術があった（たとえば、下記特許文献３を参照。）。
【０００９】
また、具体的には、従来、たとえば、操作パネルの近傍に配置される実機用台座に、入用タブレットが装着されたときに、現地実機器のオンオフを操作する操作パネルのオンスイッチのみの操作を有効とする入回路と、切用タブレットが装着されたときに、操作パネルのオフスイッチのみの操作を有効とする切回路とを構成し、装着されたタブレットが示す操作のみを実行可能とした技術があった（たとえば、下記特許文献４を参照。）。
【先行技術文献】
【特許文献】
【００１０】
【特許文献１】特開２０１２−９４２５１号公報
【特許文献２】特開２０１２−１６１９１号公報
【特許文献３】特開２０１２−１６１９０号公報
【特許文献４】特開２０１１−２０５７３３号公報
【発明の概要】
【発明が解決しようとする課題】
【００１１】
しかしながら、上述したように、スイッチの操作に先立って、誤認防止用のタブレットがぴったり重なるかどうかを確認する従来の技術は、操作すべきスイッチの誤認を防止するために便宜的に定められたルールにしたがって運用しているのみであり、操作される電気設備は、タブレットがぴったりと重なっていてもいなくても接点を動作させることができる。このため、このような従来の技術は、操作すべきスイッチの誤認によって誤った接点を動作させてしまうことを完全に防止することができないという問題があった。
【００１２】
また、上述した特許文献１〜４を含む従来の技術は、いずれも、操作対象機器の誤認を完全に防止することが難しいという問題があった。たとえば、上述した特許文献３に記載された従来の技術は、タブレットに磁石を取り付けているため、当該磁石の磁力の強弱により接点の動作が不安定になり、接点の動作に対する信頼性に劣るという問題があった。
【００１３】
また、上述した特許文献３に記載された従来の技術は、磁石を単体で近づけるなど磁力を発する部材を近づけることによって、正規なタブレットを用いた照合をしなくても接点が動作してしまうため、接点の動作に対する信頼性に劣るという問題があった。また、上述した特許文献２に記載された従来の技術は、タブレットがなくてもピンを指などで強制的に押すことによって接点を動作させることが可能であるため、接点の動作に対する信頼性に劣るという問題があった。
【００１４】
この発明は、上述した従来技術による問題点を解消するため、操作対象とする機器やスイッチなどの誤認を防止し、接点の動作に対する信頼性を確保することができる誤認操作防止装置を提供することを目的とする。
【課題を解決するための手段】
【００１５】
上述した課題を解決し、目的を達成するため、この発明にかかる誤認操作防止装置は、電気機器に対する誤認操作を防止する誤認操作防止装置であって、２枚のタブレットをそれぞれ取り外し可能に保持し当該タブレットの着脱が可能な第１の位置と前記２枚のタブレットを操作盤内へ収容する第２の位置との間をスライド可能な台座と、前記台座を前記第２の位置側から前記第１の位置側へ付勢する付勢機構と、前記台座のスライド軌跡に干渉する位置に設けられ前記台座のスライドにともなって前記台座を回避する位置に揺動する可動枠と、前記可動枠に設けられ、当該可動枠が前記台座を回避する位置に位置付けられている状態において前記第１の位置に位置付けられた前記台座が保持する前記２枚のタブレットのうちの一方のタブレットに当接し、当該一方のタブレットと当接している間、前記電気機器のインターロックを解除するインターロック解除手段と、を備え、前記２枚のタブレットが、それぞれ所定パターンをなす複数の貫通孔を備え、前記台座が、前記貫通孔がなすパターンと同じパターンをなす複数の突起を備え、当該突起をタブレットに形成された複数の貫通孔に挿入することによって前記タブレットを保持することを特徴とする。
【００１６】
また、この発明にかかる誤認操作防止装置は、上記の発明において、前記台座、前記付勢機構、前記可動枠を収容する筐体を備えたことを特徴とする。
【発明の効果】
【００１７】
この発明にかかる誤認操作防止装置によれば、操作対象とする機器やスイッチなどの誤認を防止し、接点の動作に対する信頼性を確保することができるという効果を奏する。
【図面の簡単な説明】
【００１８】
【図１】この発明にかかる実施の形態の誤認操作防止装置を用いた、タブレットの照合をともなう機器操作の手順を示す説明図（その１）である。
【図２】この発明にかかる実施の形態の誤認操作防止装置を用いた、タブレットの照合をともなう機器操作の手順を示す説明図（その２）である。
【図３】この発明にかかる実施の形態の誤認操作防止装置を用いた、タブレットの照合をともなう機器操作の手順を示す説明図（その３）である。
【図４】この発明にかかる実施の形態の誤認操作防止装置を用いた、タブレットの照合をともなう機器操作の手順を示す説明図（その４）である。
【図５】この発明にかかる実施の形態の誤認操作防止装置を用いた、タブレットの照合をともなう機器操作の手順を示す説明図（その５）である。
【図６】この発明にかかる実施の形態の誤認操作防止装置を用いた、タブレットの照合をともなう機器操作の手順を示す説明図（その６）である。
【図７】この発明にかかる実施の形態の誤認操作防止装置を示す説明図である。
【図８】この発明にかかる実施の形態の誤認操作防止装置の回路構成を概略的に示す説明図である。
【図９】タブレットの照合に際しての誤認操作防止装置における各部の動作を示す説明図（その１）である。
【図１０】タブレットの照合に際しての誤認操作防止装置における各部の動作を示す説明図（その２）である。
【図１１】タブレットの照合に際しての誤認操作防止装置における各部の動作を示す説明図（その３）である。
【図１２】タブレットの照合に際しての誤認操作防止装置における各部の動作を示す説明図（その４）である。
【図１３】タブレットの照合に際しての誤認操作防止装置における各部の動作を示す説明図（その５）である。
【図１４】タブレットの照合に際しての誤認操作防止装置における各部の動作を示す説明図（その６）である。
【図１５】タブレットの照合に際しての誤認操作防止装置における各部の動作を示す説明図（その７）である。
【図１６】タブレットの照合に際しての誤認操作防止装置における各部の動作を示す説明図（その８）である。
【図１７】タブレットの照合に際しての誤認操作防止装置における各部の動作を示す説明図（その９）である。
【図１８】タブレットが１枚の場合の誤認操作防止装置の動作を示す説明図である。
【発明を実施するための形態】
【００１９】
以下に添付図面を参照して、この発明にかかる誤認操作防止装置の好適な実施の形態を詳細に説明する。
【００２０】
まず、この発明にかかる実施の形態の誤認操作防止装置を用いた、タブレットの照合をともなう機器操作の手順について説明する。図１、図２、図３、図４、図５および図６は、この発明にかかる実施の形態の誤認操作防止装置を用いた、タブレットの照合をともなう機器操作の手順を示す説明図である。タブレットの照合をともなう機器操作は、たとえば、所定の場所に押し入れられている遮断器などを引き出す際におこなう。
【００２１】
図１、図２、図３、図４、図５および図６において、タブレットの照合をともなう機器操作に際しては、まず、結線表示盤１００から、操作対象とする機器に対応するタブレット１０１を取り外す（図１、図２を参照）。結線表示盤１００から取り外したタブレット１０１は、操作対象とする機器（遮断器）が設置されている場所に持参する。
【００２２】
結線表示盤１００は、図１に示すように、発変電所における各機器（電気設備）の状態を示す。結線表示盤１００は、発変電所における各機器の接続状態を、回線図によって示すことができる。結線表示盤１００には、回線図に含まれて操作対象となる各機器に対応する位置に、当該各機器に対応したタブレット１０１が取り付けられるタブレット取付部２０１が設けられている。タブレット１０１は、タブレット取付部２０１すなわち結線表示盤１００に対して取り外し可能に取り付けられている（図２を参照）。
【００２３】
つぎに、持参したタブレット１０１を、該当する機器に設けられた固定台座（台座）３０１に取り付けることによってタブレット１０１の照合をおこなう（図３、図４、図５および図６を参照）。図３および図４に示したように、タブレット１０１においては、所定のパターンの貫通孔３０２が形成されている。各タブレット１０１に形成されている貫通孔３０２のパターンは、タブレット１０１ごとに異なる。
【００２４】
固定台座３０１は、タブレット１０１照合をともなう操作が必要な機器ごとに、それぞれ設けられている。固定台座３０１には、該当するタブレット１０１に形成された貫通孔３０２のパターンと同じパターンの複数の突起３０３が設けられている。この突起３０３は、該当するタブレット１０１に形成された貫通孔３０２にのみ係合するように、該当するタブレット１０１に形成されている貫通孔３０２のパターンに応じて、固定台座３０１ごとに異なるパターンをなすように設けられている。
【００２５】
上記の結線表示盤１００においても、タブレット取付部２０１ごとに、該当するタブレット１０１に形成された貫通孔３０２のパターンと同じパターンの複数の突起３０３が設けられている。これにより、結線表示盤１００において、対応する機器のタブレット１０１を正確に管理することができる。
【００２６】
タブレット１０１は、貫通孔３０２の貫通方向における一面側とその裏面側とで異なる色に色分けされている。一面側と裏面側とで色分けすることにより、操作対象となる各機器の状態を容易かつ確実に案内することができる。具体的には、一面側は、たとえば赤色など、押し入れ用のタブレット１０１であることを示す第１の色とし、裏面側は、たとえば緑色など、引き出し用のタブレット１０１であることを示す第２の色とすることができる。
【００２７】
押し入れ用のタブレット１０１（１０１Ａ）は、当該押し入れ用のタブレット１０１（１０１Ａ）が取り付けられた機器（遮断器）が引き出し可能であることを示す。引き出し用のタブレット１０１（１０１Ｂ）は、当該引き出し用のタブレット１０１（１０１Ｂ）が取り付けられた機器（遮断器）が引き出された状態であることを示す。
【００２８】
図５および図６に示したように、操作対象とする機器（電力機器）５０１は、インターロックの設定と解除とを切り換えるインターロックレバー５０２を備えている。インターロックレバー５０２は、機器５０１に設けられている。図５および図６に示した機器のインターロックレバー５０２は、インターロックを解除して当該機器の移動を可能とする「移動可能」位置と、インターロックを設定して当該機器の移動を禁止する「移動不能」位置と、のいずれかの位置に選択的に位置付けられる。
【００２９】
インターロックは、操作対象となる遮断器の引き出しの誤操作を防止するため、操作対象となる遮断器などの電気機器の状態や、当該電気機器の二次側に設置された遮断器や断路器などの別の機器の動作状態などに応じて、設定したり解除したりする。インターロックを解除することにより、操作対象となる機器（遮断器）をケーシング５０３から引き出すことが可能となる。インターロックを設定することにより、操作対象となる機器（遮断器）をケーシング５０３から引き出す操作が禁止される。
【００３０】
操作者は、当該操作者が操作対象として認識している機器５０１の固定台座３０１に、持参したタブレット１０１を取り付けることができた場合、すなわちタブレット１０１の照合ができた場合、当該持参したタブレット１０１に対応する機器５０１が、操作対象となる機器５０１（インターロックの解除／設定操作の対象となる機器５０１）であることを確認することができる。
【００３１】
この実施の形態においては、機器５０１の固定台座３０１に持参したタブレット１０１を取り付けた状態で、当該タブレット１０１を機器５０１のケーシング５０３の内側へ押し込むことにより、当該機器５０１におけるインターロックを解除することができる。タブレット１０１を用いてインターロックの状態の切り換えを実現する構成については後述する。そして、操作対象とする機器５０１のインターロックを解除した後、遮断器を引き出す。
【００３２】
機器５０１である遮断器の引き出しが完了した後、持参したタブレット１０１と、機器５０１の固定台座３０１にあらかじめ取り付けられていたタブレット１０１とを取り外す。機器５０１の固定台座３０１にあらかじめ取り付けられていたタブレット１０１を取り外す構成については後述する。そして、結線表示盤１００から取り外して持参したタブレット１０１を機器５０１の固定台座３０１に残し、機器５０１の固定台座３０１から取り外したタブレット１０１を結線表示盤１００へ取り付ける。機器５０１の固定台座３０１から取り外したタブレット１０１を結線表示盤１００に取り付けることにより、該当する機器５０１の状態が切り替わったことを、結線表示盤１００を介して報知することができる。
【００３３】
つぎに、この発明にかかる実施の形態の誤認操作防止装置５１０の構成について説明する。図７は、この発明にかかる実施の形態の誤認操作防止装置５１０を示す説明図である。図７において、誤認操作防止装置５１０は、固定台座３０１を備えている。上記のように、固定台座３０１は、対応する機器ごとに設けられ、機器ごとに固有のパターンで突出する複数のピンを備えている。複数のピンは、対応するタブレット１０１に形成された貫通孔３０２のパターンに一致するパターンで設けられている。
【００３４】
固定台座３０１は、２枚のタブレット１０１をそれぞれ取り外し可能に保持する。固定台座３０１は、タブレット１０１の着脱が可能な第１の位置と、２枚のタブレット１０１をケーシング５０３内へ収容する第２の位置との間をスライド可能とされている。固定台座３０１は、第１の位置に位置付けられている場合に、タブレット１０１が取り付けられる面を機器５０１のケーシング５０３に設けられた開口７０１に位置付ける。
【００３５】
また、誤認操作防止装置５１０は、可動枠７０２を備えている。可動枠７０２は、ケーシング５０３における開口７０１の縁に設けられた揺動軸７０３を支点として揺動可能に設けられている。可動枠７０２は、一端側がケーシング５０３の外側に位置付けられ、他端側がケーシング５０３の内側に位置付けられるように、長手方向の中間部分において揺動軸７０３を介してケーシング５０３に連結されている。可動枠７０２は、開口７０１を間にして対向するように対をなし、ケーシング５０３の外側に位置する一端（およびケーシング５０３の内側に位置する他端）を互いに近づけたり遠ざけたり（遠ざけたり近づけたり）する方向に揺動する。
【００３６】
可動枠７０２は、ケーシング５０３の内側に位置する他端が、固定台座３０１のスライド軌跡に干渉する位置に位置付けられるように、図示を省略する付勢部材によって付勢されている。可動枠７０２は、固定台座３０１のスライドにともなって、当該固定台座３０１を回避する位置に揺動する。可動枠７０２は、固定台座３０１を回避する位置に位置付けられている場合に、平行とされる。
【００３７】
また、可動枠７０２は、固定台座３０１が第１の位置に位置付けられている場合に、ケーシング５０３の内側に位置する端部を接近させ、ケーシング５０３の外側に位置する端部を離間させるように揺動することができる。固定台座３０１は、第１の位置に位置付けられている状態において、可動枠７０２の揺動軌跡と緩衝する位置が切り欠かれた形状をなす。
【００３８】
可動枠７０２において、ケーシング５０３の外側に位置する一端（以下、適宜「可動枠７０２の先端」という）には、マイクロスイッチ７０４が設けられている。マイクロスイッチ７０４は、可動枠７０２の先端において、配電盤に正対するように取り付けられている。マイクロスイッチ７０４は、当該マイクロスイッチ７０４をケーシング５０３側から離間する方向に押圧する方向の付勢力が加えられた場合にＯＮ状態となる。上記のインターロックは、マイクロスイッチ７０４がＯＮ状態とされている間、解除される。
【００３９】
ケーシング５０３の内側には、可動枠７０２の揺動範囲を規制する可動枠ストッパー７０８が設けられている。可動枠ストッパー７０８は、可動枠７０２が互いに平行になる位置において各可動枠７０２の位置を固定する。また、可動枠ストッパー７０８は、可動枠７０２が互いに平行になる位置において可動枠７０２と係止し、可動枠７０２を付勢する付勢部材によって当該可動枠７０２が揺動することを防止する係止機構（図示を省略する）を備えている。
【００４０】
また、ケーシング５０３の内側には、付勢機構７０５が設けられている。付勢機構７０５は、固定台座３０１を、第２の位置側から第１の位置に向かう方向に付勢する。付勢機構７０５による付勢力は、２段階に調整することができる。具体的には、たとえば、調整第１の位置側から第２の位置側に沿って、固定部材が付勢機構７０５に突き当たって停止するまで当該固定台座３０１をケーシング５０３内に押し込むごとに、強い付勢力と弱い付勢力とを交互に切り換えることができる。
【００４１】
このような構成は、たとえば、ノック部分を１回操作した場合はペン先がケーシングから飛び出し、ノック部分を２回操作したした場合は飛び出したペン先がケーシング内に収容される、いわゆるノック式のボールペンの構造に基づいて構成することができる。これにより、付勢機構７０５が固定台座３０１を付勢する付勢力を、２段階に調整することができる。
【００４２】
上記の係止機構は、付勢機構７０５と連動し、可動枠７０２が、固定台座３０１のスライド軌跡を回避して互いに平行になる位置に位置付けられると、当該可動枠７０２の位置を固定する。また、上記の係止機構は、付勢機構７０５と連動し、可動枠７０２を固定している状態において付勢機構７０５に固定台座３０１が押し当てられると、可動枠７０２の係止を解除する。
【００４３】
ケーシング５０３の内側において、各揺動軸７０３の近傍には、それぞれ、端子台７０６が設けられている。端子台７０６は、リード線７０７を介してマイクロスイッチ７０４に接続されている。端子台７０６は、マイクロスイッチ７０４に当接することによりＯＮ／ＯＦＦする接点を備えている。端子台７０６がなす接点は、一次側から二次側へ至る同一線路状に設けられている。
【００４４】
誤認操作防止装置５１０は、固定台座３０１のスライド軌跡をカバーする筐体としてのボックス７０９を備えている。ボックス７０９は、一面に開口７１０が設けられた略方形状をなす。誤認操作防止装置５１０は、ケーシング５０３に設けられた開口７０１と、ボックス７０９の開口７１０とが一致するようにして、ケーシング５０３の内側に取り付けられる。
【００４５】
固定台座３０１は、ボックス７０９の開口７１０から当該ボックス７０９の内側へ向かって、ボックス７０９内をスライドする。可動枠７０２は、ボックス７０９の開口７１０の縁に固定されている。また、ボックス７０９には端子台７０６が取り付けられている。付勢機構７０５は、ボックス７０９内において開口７１０とは反対側に設けられている。誤認操作防止装置５１０は、ボックス７０９の単位で移動し、機器５０１のケーシング５０３に取り付け、機器５０１のケーシング５０３が取り外すことができる。
【００４６】
誤認操作防止装置５１０は、ボックス７０９を主体として、当該ボックス７０９に支持された固定台座３０１、可動枠７０２、端子台７０６および付勢機構７０５を一体に備えたユニット型とされている。これにより、誤認操作防止装置５１０の取り付けが可能な場所を増やし、取り付けにかかる作業負担を軽減することができる。
【００４７】
図８は、この発明にかかる実施の形態の誤認操作防止装置５１０の回路構成を概略的に示す説明図である。図８において、誤認操作防止装置５１０は、インターロックを解除するインターロック解除回路８０１を備えている。この実施の形態においては、インターロック解除回路８０１によってインターロック解除手段を実現することができる。
【００４８】
上記の端子台７０６が備える接点のうち、一次側（Ｐ側）に設けられた接点Ａ８０２と、二次側（Ｎ側）に設けられた接点Ｂ８０３と、インターロック解除回路８０１とは、電気の流れる方向に沿って直列に接続されている。インターロック解除回路８０１は、２つの接点Ａ８０２、接点Ｂ８０３が接続した場合に、インターロックを解除する。２個のマイクロスイッチ７０４がなす２つの接点Ａ８０２、接点Ｂ８０３を直列に接続することにより、誤認操作防止装置５１０を強制的に動作させようとしても両手が必要となるため、強制的に動作をさせた状態では、押し入れ操作や引き出し操作ができない。
【００４９】
つぎに、タブレット１０１の照合に際しての誤認操作防止装置５１０における各部の動作について説明する。図９、図１０、図１１、図１２、図１３、図１４、図１５、図１６および図１７は、タブレット１０１の照合に際しての誤認操作防止装置５１０における各部の動作を示す説明図である。誤認操作防止装置５１０は、たとえば、押し入れタブレット１０１を保持した固定台座３０１が第１の位置に位置付けられている状態を通常状態とする（図９を参照）。通常状態においては、マイクロスイッチ７０４の接点はＯＦＦ状態とされている。
【００５０】
通常状態から引き出しタブレット１０１の照合をおこなう場合、まず、固定台座３０１に保持されている押し入れタブレット１０１（１０１Ａ）に、引き出しタブレット１０１（１０１Ｂ）を重ねるようにして、当該引き出しタブレット１０１（１０１Ｂ）を固定台座３０１に取り付ける（図１０を参照）。引き出しタブレット１０１（１０１Ｂ）が操作対象となる機器５０１のタブレット１０１である場合は、押し入れタブレット１０１（１０１Ａ）と引き出しタブレット１０１（１０１Ｂ）とがぴったり重なる（図１１を参照）。ぴったり重なった状態の押し入れタブレット１０１（１０１Ａ）および引き出しタブレット１０１（１０１Ｂ）の厚さは、固定台座３０１の突起３０３の長さと同等あるいは同等以下となる。
【００５１】
つぎに、第１の位置に位置付けられている固定台座３０１を、配電盤の内側へ向かって付勢し、第２の位置に位置付ける（図１２を参照）。このとき、固定台座３０１が保持する押し入れタブレット１０１（１０１Ａ）および引き出しタブレット１０１（１０１Ｂ）を配電盤の内側へ押し込むように付勢することによって、固定台座３０１を第２の位置に位置付けることができる。
【００５２】
押し入れタブレット１０１（１０１Ａ）および引き出しタブレット１０１（１０１Ｂ）を配電盤の内側へ押し込むと、固定台座３０１のスライドにともなって可動枠７０２が揺動し、平行な状態になる。これにより、可動枠７０２に設けられたマイクロスイッチ７０４が、配電盤の外側から、引き出しタブレット１０１（１０１Ｂ）に対向した状態とされる。可動枠７０２は、固定台座３０１によって固定台座３０１のスライド軌跡上から外側へ押し出されるようにして揺動し、可動枠ストッパー７０８に突き当たって停止する。
【００５３】
固定台座３０１は、付勢機構７０５によって付勢されているため、押し入れタブレット１０１（１０１Ａ）および引き出しタブレット１０１（１０１Ｂ）とともに固定台座３０１を配電盤の内側へ押し込む外力（操作者の手の力など）が解除されると、第２の位置に位置付けられている固定台座３０１が第１の位置にスライドする（図１３を参照）。これにより、固定台座３０１が保持する引き出しタブレット１０１（１０１Ｂ）がマイクロスイッチ７０４に当接し、マイクロスイッチ７０４がＯＮ状態となり、インターロックが解除される。操作者は、インターロックが解除されている状態において、操作対象とする機器５０１を引き出すことができる。
【００５４】
操作対象とする機器５０１を引き出した後は、固定台座３０１が保持する押し入れタブレット１０１（１０１Ａ）および引き出しタブレット１０１（１０１Ｂ）をケーシング５０３の内側へ押し込むようにして、第１の位置に位置付けられている固定台座３０１を、配電盤の内側へ向かって付勢し、第２の位置に位置付ける（図１４を参照）。
【００５５】
押し入れタブレット１０１（１０１Ａ）および引き出しタブレット１０１（１０１Ｂ）を配電盤の内側へ押し込むと、付勢機構７０５に連動する係止機構によるロックが解除されて、可動枠７０２が揺動可能になる。この状態で、固定台座３０１を押し込む付勢力を解除すると、固定台座３０１は付勢機構７０５による付勢力によって第１の位置にスライドする。
【００５６】
可動枠７０２は、マイクロスイッチ７０４が設けられた端部を離間させる方向に付勢されているため、係止機構によるロックが解除された状態で、固定台座３０１が第１の位置に位置付けられると、マイクロスイッチ７０４が設けられた端部を離間させる方向に揺動する（図１４、図１５を参照）。
【００５７】
操作者は、この状態で、固定台座３０１から押し入れタブレット１０１（１０１Ａ）および引き出しタブレット１０１（１０１Ｂ）を取り外し（図１６を参照）、取り外した引き出しタブレット１０１（１０１Ｂ）のみを固定台座３０１に取り付ける（図１７を参照）。これにより、押し入れタブレット１０１（１０１Ａ）から引き出しタブレット１０１（１０１Ｂ）へのタブレット１０１の交換が実現される。交換に際して固定台座３０１から取り外した押し入れタブレット１０１（１０１Ａ）は、結線表示盤１００における該当箇所に取り付ける。
【００５８】
図１８は、タブレット１０１が１枚の場合の誤認操作防止装置５１０の動作を示す説明図である。図１８において、たとえば、引き出しタブレット１０１（１０１Ｂ）のみを保持する固定台座３０１を、第１の位置から第２の位置へスライドさせた場合（図１８における上段を参照）、上記と同様にして可動枠７０２が揺動し、マイクロスイッチ７０４が、配電盤の外側から引き出しタブレット１０１（１０１Ｂ）に正対する。
【００５９】
この状態で固定台座３０１を押し込む付勢力を解除すると、固定台座３０１は付勢機構７０５によって付勢されて第２の位置から第１の位置にスライドするが、タブレット１０１が１枚の場合はマイクロスイッチ７０４がＯＮ状態にならない（図１８における中段を参照）。このため、インターロックを解除することはできない。
【００６０】
また、引き出しタブレット１０１（１０１Ｂ）のみを保持する固定台座３０１を、第１の位置から第２の位置へ再度スライドさせた場合、係止機構によるロックが解除されて可動枠７０２が開き、引き出しタブレット１０１（１０１Ｂ）を固定台座３０１から取り外すことが可能になる（図１８における下段を参照）。可動枠７０２が開いている状態では、引き出しタブレット１０１（１０１Ｂ）を固定台座３０１から取り外す際に当該引き出しタブレット１０１（１０１Ｂ）がマイクロスイッチ７０４に接触することはなく、マイクロスイッチ７０４はＯＮ状態にはならない。
【００６１】
上記の誤認操作防止装置５１０を用いることにより、２つのマイクロスイッチ７０４の接点条件に応じて機器５０１のインターロック解除回路８０１によるインターロックを解除することができる。すなわち、タブレット１０１を２枚重ねなければインターロック解除回路８０１によるインターロックを解除することができず、マイクロスイッチ７０４が接点しないため、機器５０１の誤認による誤った操作を防止できる。
【００６２】
上記の誤認操作防止装置５１０は、２個のマイクロスイッチ７０４による接点を直列に接続しているために、強制的に動作させる際には両手が必要となる。このため、強制的に動作させようとしても、強制動作をさせた状態では機器５０１の押し入れ操作や引き出し操作をおこなうことができない。これによって、操作対象とする機器やスイッチなどの誤認を防止し、接点の動作に対する信頼性を確保することができる。
【００６３】
また、上記の誤認操作防止装置５１０は、２枚重ねたタブレット１０１の厚みと付勢機構７０５による付勢力によって、一方のタブレット１０１がマイクロスイッチ７０４に当接するように２枚のタブレット１０１を付勢する。このため、タブレット１０１の照合をともなう機器操作に際しては、タブレット１０１の照合を省略することはできず、操作対象とする機器５０１やスイッチなどの誤認を確実に防止することができる。また、付勢機構７０５による付勢力によってタブレット１０１がマイクロスイッチ７０４に当接するように当該タブレット１０１を付勢することにより、マイクロスイッチ７０４を確実にＯＮ状態とし、安定的かつ確実に動作させることができる。
【００６４】
以上説明したように、この発明にかかる実施の形態の誤認操作防止装置５１０は、２枚のタブレット１０１（１０１Ａ、１０１Ｂ）をそれぞれ取り外し可能に保持し、タブレット１０１（１０１Ａ、１０１Ｂ）の着脱が可能な第１の位置と、２枚のタブレット１０１（１０１Ａ、１０１Ｂ）を機器５０１のケーシング５０３内へ収容する第２の位置との間をスライド可能な固定台座３０１と、固定台座３０１を第２の位置側から第１の位置側へ付勢する付勢機構７０５と、固定台座３０１のスライド軌跡に干渉する位置に設けられ固定台座３０１のスライドにともなって固定台座３０１を回避する位置に揺動する可動枠７０２と、可動枠７０２に設けられ、当該可動枠７０２が台座を回避する位置に位置付けられている状態において第１の位置に位置付けられた固定台座３０１が保持する２枚のタブレット１０１（１０１Ａ、１０１Ｂ）のうちの一方のタブレット１０１に当接し、当該一方のタブレット１０１と当接している間、機器５０１のインターロックを解除するインターロック解除回路８０１と、を備える。
【００６５】
さらに、この発明にかかる実施の形態の誤認操作防止装置５１０は、２枚のタブレット１０１（１０１Ａ、１０１Ｂ）が、それぞれ所定パターンをなす複数の貫通孔３０２を備え、固定台座３０１が貫通孔３０２がなすパターンと同じパターンをなす複数の突起３０３を備え、当該突起３０３をタブレット１０１に形成された複数の貫通孔３０２に挿入することによってタブレット１０１を保持することを特徴としている。
【００６６】
この発明にかかる実施の形態の誤認操作防止装置５１０によれば、固定台座３０１が保持するタブレット１０１を限定し、限定されたタブレット１０１を２枚保持する固定台座３０１が第１の位置に位置付けられている場合にのみインターロックを解除することができる。このように、インターロックを解除する条件を制限し、タブレット１０１に形成された貫通孔３０２がなすパターンと固定台座３０１が保持するタブレット１０１の枚数との２つの条件が揃った場合にのみインターロックを解除することにより、操作対象とする機器５０１を誤認したまま当該機器５０１を操作することを防止できる。
【００６７】
このように、この発明にかかる実施の形態の誤認操作防止装置５１０によれば、操作対象とする機器５０１やスイッチなどの誤認を防止することができ、正しく確認した機器５０１を操作することによって接点の動作に対する信頼性を確保することができる。
【００６８】
また、この発明にかかる実施の形態の誤認操作防止装置５１０は、固定台座３０１、付勢機構７０５、可動枠７０２を収容する筐体を実現するボックス７０９を備えたことを特徴としている。
【００６９】
この発明にかかる実施の形態の誤認操作防止装置５１０によれば、ボックス７０９の単位で移動し、機器５０１のケーシング５０３に取り付け、機器５０１のケーシング５０３が取り外すことができるので、誤認操作防止装置５１０の取り扱いおよび取り付けにかかる作業者の負担軽減を図ることができる。
【産業上の利用可能性】
【００７０】
以上のように、この発明にかかる誤認操作防止装置は、機器の誤認操作を防止する誤認操作防止装置に有用であり、特に、インターロックが設定された機器の誤認操作を防止する誤認操作防止装置に適している。
【符号の説明】
【００７１】
１０１  タブレット
３０１  固定台座
３０２  貫通孔
３０３  突起
５０３  ケーシング
５１０  誤認操作防止装置
７０１  開口
７０２  可動枠
７０４  マイクロスイッチ
７０５  付勢機構
７０６  端子台
７０８  可動枠ストッパー
７０９  ボックス
７１０  開口
８０１  インターロック解除回路
【図１】
2014138461.tif 000003
【図２】
2014138461.tif 000004
【図３】
2014138461.tif 000005
【図４】
2014138461.tif 000006
【図５】
2014138461.tif 000007
【図６】
2014138461.tif 000008
【図７】
2014138461.tif 000009
【図８】
2014138461.tif 000010
【図９】
2014138461.tif 000011
【図１０】
2014138461.tif 000012
【図１１】
2014138461.tif 000013
【図１２】
2014138461.tif 000014
【図１３】
2014138461.tif 000015
【図１４】
2014138461.tif 000016
【図１５】
2014138461.tif 000017
【図１６】
2014138461.tif 000018
【図１７】
2014138461.tif 000019
【図１８】
2014138461.tif 000020